(57)【要約】【課題】表示パネルを十分な強度で固定することが可能な電気光学装置、およびこの電気光学装置を備えた電子機器を提供することを目的とする。【解決手段】画像を表示するための液晶表示パネル１０と、液晶表示パネル１０の下側に貼り付けられており、液晶表示パネル１０の外形より大きく形成された突出領域３０ａを有する下偏光板３０と、下偏光板３０の下側に配されたバックライト部４０と、液晶表示パネル１０が内嵌し、バックライト部４０から出射される照明光の漏れを防止するための反射ケース６０と、を備え、反射ケース６０の内面には、下偏光板３０の突出領域３０ａを挿入するための溝６１ａが形成されており、遮光両面テープ７０は、下偏光板３０と、反射ケース６０の溝６１ａおよび平坦部６３を含む固定領域Ａおよびバックライト部４０の非有効表示領域Ｂとを固定する。【選択図】      図１−２
2005084510.tif 000002
【特許請求の範囲】
【請求項１】
画像を表示するための表示パネルと、
前記表示パネルの外形より大きく、前記表示パネルの下面に配置される偏光板と、
前記偏光板の下側に配置され、照明光を前記偏光板を介して前記表示パネルに出射させるバックライト部と、
前記表示パネルを収容し、前記バックライト部から出射される照明光の漏れを防止するための反射ケースと、
前記偏光板は、前記表示パネルからの突出領域を有するように当該表示パネルの下面に配置され、
前記反射ケースの内面には、前記偏光板の突出領域を挿入するための収容部が形成されており、
前記収容部に収容された前記偏光板と前記反射ケースの固定領域とを固定する固定手段と、
を備えたことを特徴とする電気光学装置。
【請求項２】
前記反射ケースはその内面が段形状を呈し、前記収容部の前記表示パネル側の面よりも前記収容部の前記バックライト側の面の方が広く形成されていることを特徴とする請求項１に記載の電気光学装置。
【請求項３】
前記収容部は、溝で形成されていることを特徴とする請求項１または請求項２に記載の電気光学装置。
【請求項４】
前記バックライト部は、導光板と、拡散板と、およびプリズムシートとで構成されており、
前記固定手段は、前記プリズムシートを前記偏光板と固定することを特徴とする請求項１〜請求項３のいずれか１つに記載の電気光学装置。
【請求項５】
前記固定手段は、遮光両面テープであることを特徴とする請求項１〜請求項４のいずれか１つに記載の電気光学装置。
【請求項６】
請求項１〜請求項５のいずれか１つに記載の電気光学装置を備えたことを特徴とする電子機器。
【発明の詳細な説明】
【技術分野】
【０００１】
本発明は、電気光学装置、および電気光学装置を備えた電子機器に関し、詳細には、表示パネルを十分な強度で固定することが可能な電気光学装置、およびこの電気光学装置を備えた電子機器に関するものである。
【背景技術】
【０００２】
従来、液晶表示装置等の電気光学装置では、液晶などにより構成されている複数の画素からなる表示パネルと、表示パネルの両面に貼り合わされた上偏光板および下偏光板と、バックライト部と、表示パネルとバックライト部を覆う反射ケース等から構成されるものが公知である（例えば、特許文献１参照）。かかる電気光学装置では、下偏光板は、一般に、液晶表示パネルの外形よりも小さいサイズのものが当該液晶表示パネルに貼り付けられている。
【０００３】
【特許文献１】特開平７−２７１５１９号公報
【発明の開示】
【発明が解決しようとする課題】
【０００４】
しかしながら、遮光両面テープで、バックライト部の非有効表示領域（非有効発光エリア）と下偏光板とを貼り合わせて液晶表示パネルを固定する構成とした場合には、下偏光板は、液晶表示パネルの外形よりも小さいサイズであるため、その貼り合わせ領域（糊代）の面積が小さくなり、液晶表示パネルを十分な強度で固定することができないという問題がある。このため、液晶表示パネルが振動等により剥がれる蓋然性がある。また、近時、狭額縁化が進んでいるため、貼り合わせ領域（糊代）の面積がさらに小さくなる傾向にある。
【０００５】
本発明は、上記に鑑みてなされたものであって、表示パネルを十分な強度で固定することが可能な電気光学装置、および電気光学装置を備えた電子機器を提供することを目的とする。
【課題を解決するための手段】
【０００６】
上述した課題を解決し、目的を達成するために、本発明は、画像を表示するための表示パネルと、前記表示パネルの外形より大きく、前記表示パネルの下面に配置される偏光板と、前記偏光板の下側に配置され、照明光を前記偏光板を介して前記表示パネルに出射するバックライト部と、前記表示パネルを収容し、前記バックライト部から出射される照明光の漏れを防止するための反射ケースと、前記偏光板は、前記表示パネルからの突出領域を有するように当該表示パネルの下面に配置され、前記反射ケースの内面には、前記偏光板の突出領域を挿入するための収容部が形成されており、前記収容部に収容された前記偏光板と前記反射ケースの固定領域とを固定する固定手段と、を備えたことを特徴とする。
【０００７】
これにより、表示パネル外形より突出した突出領域と反射ケースに設けられた収容部とを固定手段で固定することができるため、貼り合わせ領域（糊代）の面積を大きくすることができ、表示パネルを十分な強度で固定することが可能となる。この結果、表示パネルが振動等により剥がれることを防止できる。また、狭額縁化が進んでも、貼り合わせ領域（糊代）の面積を確保できるため、表示パネルを十分な強度で固定することができる。
【０００８】
また、本発明の好ましい態様によれば、前記反射ケースはその内面が段形状を呈し、前記収容部の前記表示パネル側の面よりも前記収容部の前記バックライト側の面の方が広く形成されていることが望ましい。これにより、貼り合わせ領域（糊代）の面積をより広くすることでき、表示パネルを十分な強度で固定することができる。
【０００９】
また、本発明の好ましい態様によれば、前記収容部は、溝で形成されえることが望ましい。これにより、偏光板の突出領域を挿入するための収容部を簡単な構成で実現することが可能となる。
【００１０】
また、本発明の好ましい態様によれば、前記バックライト部は、導光板と、拡散シートと、プリズムシートとを有し、前記固定手段は、前記プリズムシートを前記偏光板と固定することが望ましい。これにより、均一な照明光を表示パネルに供給することが可能となる。
【００１１】
また、本発明の好ましい態様によれば、前記固定手段は、遮光両面テープであることが望ましい。これにより、簡易かつ低コストな構成で、表示パネルを固定することが可能となる。
【００１２】
また、本発明の好ましい態様によれば、電子機器は、上述の電気光学装置を搭載することが望ましい。これにより、電子機器において、表示パネルを十分な強度で固定することが可能となる。
【発明を実施するための最良の形態】
【００１３】
以下、この発明につき図面を参照しつつ詳細に説明する。なお、この実施の形態によりこの発明が限定されるものではない。また、下記実施の形態における構成要素には、当業者が容易に想定できるものまたは実質的に同一のものが含まれる。なお、以下の実施例においては、液晶表示装置を例示として説明するが、本発明にかかる電気光学装置はこれに限定されるものではなく、ＥＬ（Electro Luminescence）装置、電子放出表示装置（Field Emission DisplayおよびSurface-Conduction Electron-Emitter Display）等にも適用できる。また、本明細書においては、電気光学パネルまたは電気光学モジュールの単体の場合も電気光学装置と称する。
【実施例】
【００１４】
図１は、本実施例にかかる電気光学装置１の構成例を示す図である。図１−１は本実施例の電気光学装置１の斜視図、図１−２は図１−１のＡ−Ａ断面図を示している。図１に示すように、電気光学装置１は、画像を表示するための液晶表示パネル１０と、液晶表示パネル１０の上側および下側に貼り付けられた上偏光板２０および下偏光板３０と、液晶表示パネル１０に照明光を照射するためのバックライト部４０と、バックライト部４０の光を表示面側に反射する反射シート５０と、液晶表示パネル１０を収容し、バックライト部４０から出射される照明光の漏れを防止するための反射ケース６０と、液晶表示パネル１０を反射ケース６０およびバックライト部４０に固定するための固定手段である遮光両面テープ７０と、液晶表示パネル１０に駆動信号を送出するためのＦＰＣ（Flexible Printed Circuits）８０等を備えている。
【００１５】
液晶表示パネル１０は、平面視略四角形状を呈しており、対向して配置された二枚の上表示基板１０ａおよび下表示基板１０ｂの間に液晶が封入されて構成されている。上表示基板１０ａおよび下表示基板１０ｂはガラスで構成される。上表示基板１０ａには、不図示のカラーフィルタ、保護層、ＩＴＯ膜で形成された第１の駆動電極等が形成されている。下表示基板１０ｂには、不図示のＴＦＤやＴＦＴ等のスイッチング素子、保護膜、第２の駆動電極等が形成されている。
【００１６】
ＦＰＣ８０は、液晶表示パネル１０の第１の駆動電極および第２の駆動電極に駆動信号を送出するためのインターフェイス基板であり、液晶表示パネル１０に圧着されている。第１の駆動電極および第２の駆動電極を駆動するためのドライバＩＣ（不図示）は、液晶表示パネル１０に実装するＣＯＧ構造（Chip On Glass）を採用しても良いし、また、ＦＰＣ８０に実装するＣＯＦ構造（Chip On Film）を採用することにしても良い。
【００１７】
この電気光学装置１では、対向して配置された二枚の上表示基板１０ａおよび下表示基板１０ｂに形成された第１の駆動電極および第２の駆動電極間に電荷を与えて電界を形成し、カラーフィルタに対応した位置の液晶の配向を変化させて画素を点灯／消灯させる。また、液晶表示パネル１０の上側および下側にはそれぞれ上偏光板２０および下偏光板３０が貼り付けられている。上偏光板２０は、液晶表示パネル１０の外形よりも小さく形成されている。下偏光板３０は、液晶表示パネル１０に貼り付けた際に、液晶表パネル１０の外形よりも少なくとも一部が突出する（大きく形成された）突出領域３０ａを有している。本実施例では、下偏光板３０の一辺のＸ軸方向の長さを液晶表示パネル１０に比して大きく形成している。この上偏光板２０および下偏光板３０は、クロスニコル状態となっている。
【００１８】
下偏光板３０の下側には、バックライト部４０が設けられている。バックライト部４０は、例えば、その側方に設けられたＬＥＤ（不図示）から発せられた照明光を上方に導出する導光板と、導光板から出射される照明光を拡散する拡散シートと、および拡散シートで拡散された照明光を偏光するプリズムシート等から構成することができる。この場合、遮光両面テープ７０で、下偏光板３０をバックライト部４０と固定する場合には、バックライト部４０のプリズムシートに固定することにしても良い。
【００１９】
反射ケース６０は、ポリカーボネート等で構成され、その内面が段形状を呈しており、溝６１ａの表示パネル１０側の面よりも溝６１ａのバックライト部４０側の面の方が広く形成されている。より具体的には、反射ケース６０は、液晶表示パネル１０が内嵌する第１の内壁部６１と、バックライト部４０が内嵌し、第１の内壁部６１よりその内周が小さい第２の内壁部６２と、第１の内壁部６１と第２の内壁部６２間に形成された平坦部６３とを有している。第１の内壁部６１には、その下面が平坦部６３と略面一で、下偏光板３０の突出領域３０ａを挿入するための収容部である溝６１ａが形成されている。この溝６１ａは、液晶表示パネル１０が第１の内壁部６１に内嵌するため、液晶表示パネル１０の外形より突出した突出領域３０ａを逃がすために設けられたものである。上述のバックライト部４０は、その上表面が溝６１ａの下面と略面一となる位置に配される。反射ケース６０の溝６１ａの下面と平坦部６１ａには固定領域Ａが形成されている。下偏光板３０の下面と、反射ケース６０の固定領域Ａおよびバックライト部４０の上表面の非有効表示領域Ｂとは、遮光両面テープ７０で固定されている。これにより、液晶表示パネル１０をバックライト部４０および反射ケース６０に固定することができる。なお、バックライト部４０を、導光板と、拡散シートと、およびプリズムシートとで構成する場合には、バックライト部４０のプリズムシートに遮光両面テープ７０を貼り付ける。
【００２０】
図２は、遮光両面テープ７０の全体構成を説明するための平面図である。図２に示すように、遮光両面テープ７０は、矩形の枠形状を呈しており、反射ケース６０の第１の内壁６１に形成された溝６１ａの下面に合わせて、平坦部６３、およびバックライト４０の上表面の非有効表示領域に貼り付けられる。
【００２１】
図３は、本実施例の電気光学装置１の分解斜視図を示している。図３を参照して、電気光学装置１の組付けを説明する。まず、バックライト部４０を反射ケース６０の第１の内壁部６１に内嵌させる。これにより、バックライト部４０の上表面は、反射ケース６０の平坦部６３と略面一となる。つぎに、遮光両面テープ７０の下面をバックライト部４０の非有効表示領域と反射ケース６０の平坦部６３および溝６１ａの下面に貼り付ける（図２参照）。この後、液晶表示パネル１０の下偏光板３０の突出領域３０ａを溝６１ａの位置に合わせて、遮光両面テープ７０の上面に液晶表示パネル１０の下偏光板３０を貼り合わせて液晶表示パネル１０を固定する。なお、遮光両面テープ７０を下偏光板３０に貼り付けた後に、バックライト部４０および反射ケース６０に貼り付けて固定することにしても良い。
【００２２】
以上説明したように、本実施例によれば、下偏光板３０を液晶表示パネル１０に貼り合わせる場合に、液晶表示パネル１０の外形から突出する突出領域３０ａを形成し、また、反射ケース６０に下偏光板３０の突出領域３０ａを挿入するための収容部である溝６１ａを形成し、固定手段である遮光両面テープ７０で、下偏光板３０と反射ケース６０の溝６１ａを含む固定領域Ａおよびバックライト部４０の非有効表示領域Ｂとを固定する構成である。これにより、下偏光板３０の液晶表示パネル１０の外形より突出した突出領域３０ａと反射ケース６０に設けられた溝６１ａとを遮光両面テープ７０で固定することができるため、貼り合わせ領域（糊代）の面積を大きくすることができ、液晶表示パネル１０を十分な強度で固定することが可能となる。この結果、液晶表示パネル１０が振動等により剥がれることを防止できる。また、狭額縁化が進んでも、貼り合わせ領域（糊代）の面積を確保できるため、液晶表示パネル１０を十分な強度で固定することができる。
【００２３】
また、本実施例では、反射ケース６０はその内面が段形状を呈しており、液晶表示パネル１０が内嵌し、下偏光板３０の突出領域３０ａの収容部である溝６１ａが形成されている第１の内壁部６１と、バックライト部４０が内嵌し内周が第１の内壁部６１よりも小さい第２の内壁部６２と、第１の内壁部６１と第２の内壁部６２間に形成された平坦部６３とを有し、固定領域Ａを、反射ケース６０の第１の内壁部６１に形成された溝６１ａおよび平坦部６３に形成している。すなわち、溝６１ａの表示パネル１０側の面よりも溝６１ａのバックライト部４０側の面の方が広く形成されている。これにより、反射ケース６０に設けられた平坦部６２と下偏光板３０とを両面遮光テープ８０で固定することができるため、貼り合わせ領域（糊代）の面積をより大きくでき、より十分な強度で液晶表示パネル１０を固定することが可能となる。
【００２４】
また、本実施例では、下偏光板３０の突出領域３０ａを挿入するための収容部を溝６１ａで構成することとしたので、下偏光板３０の突出領域３０ａを挿入するための収容部を簡単な構成で実現することが可能となる。また、本実施例では、バックライト部４０は、導光板と、拡散シートと、プリズムシートとで構成することとしたので、均一な照明光を液晶表示パネル１０に供給することが可能となる。さらに、本実施例では、液晶表示パネル１０を固定するための固定手段として遮光両面テープ７０を使用することとしたので、簡易かつ低コストな構成で、液晶表示パネル１０を十分な強度で固定することが可能となる。
【００２５】
（変形例１）
図４は、上記実施例の変形例１を説明するための平面図である。図４において、図２と同等機能を有する部位には同一符号を付してある。上記実施例では、下偏光板３０の突出領域３０ａを１つの辺について設けている。これに対して、変形例１では、突出領域３０ａを２つの辺に設ける構成である。図４に示すように、変形例１では、反射ケース６０には、下偏光板３０の２つの辺に設けた突出領域３０ａを逃がすための一対の溝６１ａが形成されている。なお、下偏光板３０の突出領域３０ａを設ける辺は、上記実施例および変形例１に限られるものではなく、下偏光板３０の３つの辺または４つの辺に設けることにしても良い。さらに、上記実施例では、下偏光板３０の突出領域３０を１つの辺の全ての部分に設ける構成であるが、１つの辺の一部について設けることにしても良い。
【００２６】
（変形例２）
図５は、上記実施例の変形例２を説明するための説明図である。図５において、図１−２と同等機能を有する部位には同一符号を付してあり、その説明を省略する。上記実施例では、反射ケース６０において、下偏光板３０の突出領域３０ａを挿入するための収容部を溝６１ａで構成することとした。これに対して、変形例２では、図５に示すように、反射ケース６０の収容部を穴６１ｂで構成している。このように、下偏光板３０の突出領域３０ａを挿入するための収容部は、溝に限られるものではなく、下偏光板３０の突出領域３０ａを挿入できる構成であれば如何なる構成を採用することにしても良い。
【００２７】
図６は、本発明の電気光学装置を備えた電子機器の構成を示すブロック図である。電子機器は、表示情報出力源１０４、表示情報処理手段１０６、表示モードを切り換えるための制御回路を備えた駆動回路１００、電気光学装置１、クロック発生手段１０２、および電源１１０を含んで構成される。表示情報出力源１０４は、ＲＯＭ（Read Only Memory）、ＲＡＭ（Random Access Memory）、光ディスクなどのメモリ、テレビ信号の画像信号を同調して出力する同調回路などを含んで構成され、クロック発生手段１０２からのクロックに基づいて、所定フォーマットの画像信号を処理して表示情報処理手段１０６に出力する。この表示情報処理手段１０６は、例えば増幅・極性反転回路、相展開回路、ローテーション回路、ガンマ補正回路、あるいはクランプ回路等の周知の各種処理回路を含んで構成され、クロック信号に基づいて入力された表示情報からデジタル信号を順次生成し、クロック信号ＣＬＫとともに駆動回路１００に出力する。駆動回路１００は、電気光学装置１を駆動する。電源１１０は、上述の各回路に所定の電源を供給する。
【産業上の利用可能性】
【００２８】
本発明にかかる電気光学装置は、透過型、反射型、および半透過型の電気光学装置に利用することができる。また、本発明にかかる電気光学装置は、パッシブマトリクス型の電気光学装置やアクティブマトリクス型の電気光学装置（例えば、ＴＦＴ（薄膜トランジスタ）やＴＦＤ（薄膜ダイオード）をスイッチング素子として備えた電気光学パネル）に利用することができる。さらに、本発明にかかる電気光学装置は、液晶表示装置に限らず、有機エレクトロルミネッセンス装置、無機エレクトロルミネッセンス装置、プラズマディスプレイ装置、電気泳動表示装置、電子放出表示装置（Field Emission DisplayおよびSurface-Conduction Electron-Emitter Display等）、ＬＥＤ（ライトエミッティングダイオード）表示装置等のように、複数の画素毎に表示状態を制御可能な各種の電気光学装置に利用することができる。
【００２９】
本発明にかかる電気光学装置を搭載した電子機器は、携帯電話機、ＰＤＡ（Personal Digital Assistants）と呼ばれる携帯型情報機器、携帯型パーソナルコンピュータ、パーソナルコンピュータ、ワークステーション、デジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、およびＰＯＳ端末機などの電子機器に広く利用することができる。
【図面の簡単な説明】
【００３０】
【図１−１】本実施例の電気光学装置の概略の全体構成を示す斜視図。
【図１−２】図１−１のＡ−Ａ断面図。
【図２】遮光両面テープを説明するための平面図。
【図３】本実施例の電気光学装置の分解斜視図。
【図４】本実施例の変形例１を示す図。
【図５】本実施例の変形例２を示す図。
【図６】本発明の電気光学装置を備えた電子機器の構成を示すブロック図。
【符号の説明】
【００３１】
１  電気光学装置、１０  液晶表示パネル、１０ａ  上表示基板、１０ｂ  下表示基板、１１  ドライバＩＣ、２０  上偏光板、３０  下偏光板、３０ａ  突出領域、４０  バックライト部、５０  反射シート、６０  反射ケース、６１  第１の内壁部、６１ａ  溝、６１ｂ  穴、６２  第２の内壁部、６３  平坦部  ７０  遮光両面テープ、８０  ＦＰＣ（Flexible Printed Circuits）８０、１００  駆動回路、１０２  クロック発生手段、１０４  表示情報出力源、１０６  表示情報処理手段、１１０  電源
【図１−１】
2005084510.tif 000003
【図１−２】
2005084510.tif 000004
【図２】
2005084510.tif 000005
【図３】
2005084510.tif 000006
【図４】
2005084510.tif 000007
【図５】
2005084510.tif 000008
【図６】
2005084510.tif 000009